(57)【要約】【課題】装置本体から着脱可能な操作部を備える電子機器において、操作部に確実に電力を供給すること【解決手段】装置本体２００と、装置本体から着脱可能、かつ装置本体と通信可能な操作部３００とを備える画像形成装置である。装置本体２００は、装置本体２００の全体に電力を供給する第１電源２１１を備える。操作部３００は、外光を利用して発電する太陽電池３０３と、太陽電池３０３の発電電圧を検出する電圧検出手段３０５と、太陽電池により充電されかつ操作部３００に電力を供給する第２電源３０４と、操作部の状態を検出する操作部状態検出手段３０６と、電圧検出手段の検出結果に基づいて、第１電源及び第２電源の少なくとも一方から操作部への電力供給を行うように制御する電力供給制御手段２１２と、を備えた。【選択図】図１
2015142393.tif 000002
【特許請求の範囲】
【請求項１】
装置本体と、前記装置本体から着脱可能、かつ前記装置本体と通信可能な操作部と、を備える電子機器であって、
前記装置本体は、
前記装置本体の全体に電力を供給する第１電源を備え、
前記操作部は、
外光を利用して発電する発電手段と、
前記発電手段の発電電圧を検出する電圧検出手段と、
前記発電手段により充電されかつ前記操作部に電力を供給する第２電源と、
前記操作部の状態を検出する操作部状態検出手段と、
前記電圧検出手段の検出結果と前記操作部状態検出手段の検出結果とに基づいて、前記第１電源及び前記第２電源の少なくとも一方から前記操作部への電力供給を行うように制御する電力供給制御手段と、を備えたことを特徴とする電子機器。
【請求項２】
前記操作部が、前記装置本体と物理的に接続状態であるか非接続状態であるかを検出する接続検知手段を備え、
前記操作部状態検出手段が、人体を検出する人体検知手段を備え、
前記電力供給制御手段が、
前記接続検知手段により前記操作部と前記装置本体とが非接続状態であることを検知し、前記電圧検出手段が検出した前記発電手段の発電電圧が予め定めた閾値を超えると判定し、かつ、前記人体検知手段が人体を検出したとき、前記第２電源から前記操作部へ電力を供給させることを特徴とする請求項１記載の電子機器。
【請求項３】
前記操作部が、前記装置本体と物理的に接続状態であるか非接続状態であるかを検出する接続検知手段を備え、
前記操作部状態検出手段が、人体を検出する人体検知手段を備え、
前記電力供給制御手段が、
前記接続検知手段により前記操作部と前記装置本体とが接続状態であることを検知し、前記電圧検出手段が検出した前記発電手段の発電電圧が予め定めた閾値以下であるであると判定し、かつ、前記人体検知手段が人体を検出しないとき、前記第１電源から前記操作部へ電力を供給させることを特徴とする請求項１記載の電子機器。
【請求項４】
前記操作部が、前記装置本体と物理的に接続状態であるか非接続状態であるかを検出する接続検知手段を備え、
前記操作部状態検出手段が、前記操作部の静電容量を検出する静電容量検知手段を備え、
前記電力供給制御手段が、
前記接続検知手段により前記操作部と前記装置本体とが非接続状態であることを検知し、前記電圧検出手段が検出した前記発電手段の発電電圧が予め定めた閾値を超えると判定し、かつ、前記静電容量検知手段で検出した静電容量の値に基づいて人体を検出したとき、前記第２電源から前記操作部へ電力を供給させることを特徴とする請求項１記載の電子機器。
【請求項５】
前記操作部が、前記装置本体と物理的に接続状態であるか非接続状態であるかを検出する接続検知手段を備え、
前記操作部状態検出手段が、前記操作部の静電容量を検出する静電容量検知手段を備え、
前記電力供給制御手段が、
前記接続検知手段により前記操作部と前記装置本体とが接続状態であることを検知し、前記電圧検出手段が検出した前記発電手段の発電電圧が予め定めた閾値以下であると判定し、かつ、前記静電容量検知手段で検出した静電容量の値に基づいて人体を検出しないとき、前記第１電源から前記操作部へ電力を供給させることを特徴とする請求項１記載の電子機器。
【請求項６】
前記第２電源から前記操作部への電力供給を遮断し、かつ前記第１電源から前記操作部への電力供給を行った場合に、前記第１電源から前記第２電源への充電を行う充電制御手段を備えることを特徴とする請求項１、３、５のいずれか一項記載の電子機器。
【請求項７】
記録媒体に画像を記録する作像部を備えることを特徴とする請求項１乃至６のいずれか一項記載の電子機器。
【発明の詳細な説明】
【技術分野】
【０００１】
本発明は、装置本体から着脱可能、及び装置本体との通信が可能な操作部を備える電子機器に関する。
【背景技術】
【０００２】
近年、環境規制や環境負荷問題への意識の高まりから、電子機器や電気製品全般に消費電力を低減することが求められている。このため、電子機器である印刷機能を有する複写機、ファクシミリ、プリンタ等の画像形成装置においても、環境問題に対する意識の向上や電気代の削減の観点から、動作時や省エネ動作時等における、環境に配慮した低消費電力対応の装置が購入されることが年々増えてきている。
このような技術として、画像形成装置の省エネルギー動作（省電力動作）時の消費電力低減を目的として、太陽電池で充電される二次電池から電力を供給する制御技術が提案されている。
【０００３】
特許文献１には、画像形成装置の電力消費を低減するために設けた太陽電池パネルの出力変化から、人の有無を判断して、省電力動作モードから通常動作モードに復帰し、画像形成装置を使用しない場合は、省電力動作モードへ移行する画像形成装置が記載されている。
詳しくは、特許文献１には、画像形成装置の操作部と自動原稿送り装置の上部に太陽電池パネルを設け、太陽電池パネルの出力が低下した場合は、室内照明が落とされたと判断して省電力モードに移り、また、操作部に設置された太陽電池パネルの出力が低下した場合は、ユーザがいると判断して通常動作モードに移行するものが記載されている。
【発明の概要】
【発明が解決しようとする課題】
【０００４】
また、画像形成装置において、画像形成装置本体から着脱可能、持ち運びが可能で、かつ、画像形成装置本体と通信することがきる操作部を備えるものが提案されている。このような画像形成装置では、画像形成装置本体から操作部を取り外した場合、画像形成装置本体から操作部に対して電源供給ができないといった問題があった。
また、画像形成装置本体から操作部を取り外して使用する場合、操作部内に充電可能なバッテリを搭載したとしても、予め外部のＡＣアダプタ電源から操作部内のバッテリに充電しなければ使用できないという問題がある。
ここで、特許文献１に記載のものは、操作部に太陽電池を設置し、太陽電池の出力変化から、人の有無を判断するものであるが、太陽電池が設置された操作部は画像形成装置に設置されているし、また画像形成装置本体から操作部が取り外せないものである。
本発明は、上記に鑑みてなされたもので、その目的は、装置本体から着脱可能な操作部を備える電子機器において、操作部に確実に電力を供給することである。
【課題を解決するための手段】
【０００５】
上記課題を解決するための電子機器は、装置本体と、前記装置本体から着脱可能、かつ前記装置本体と通信可能な操作部と、を備える電子機器であって、前記装置本体は、前記装置本体の全体に電力を供給する第１電源を備え、前記操作部は、外光を利用して発電する発電手段と、前記発電手段の発電電圧を検出する電圧検出手段と、前記発電手段により充電されかつ前記操作部に電力を供給する第２電源と、前記操作部の状態を検出する操作部状態検出手段と、前記電圧検出手段の検出結果と前記操作部状態検出手段の検出結果とに基づいて、前記第１電源及び前記第２電源の少なくとも一方から前記操作部への電力供給を行うように制御する電力供給制御手段と、を備えたことを特徴とする。
【発明の効果】
【０００６】
本発明によれば、操作部を装置本体に取り付けて使用する場合の他、操作部を装置本体から取り外して使用する場合でも、操作部に対して確実に電力を供給できる。
【図面の簡単な説明】
【０００７】
【図１】本発明の第１実施形態に係る電子機器としての画像形成装置の基本構成を示すブロック図である。
【図２】同画像形成装置の基本動作を示すフローチャートである。
【図３】本発明の第２実施形態に係る電子機器としての画像形成装置の動作を示すフローチャートである。
【図４】第２実施形態に係る画像形成装置の状態４における動作を示すフローチャートである。
【図５】同画像形成装置の状態５における動作を示すフローチャートである。
【図６】同画像形成装置の充電制御手段の動作を示すフローチャートである。
【図７】第３実施形態に係る画像形成装置の状態４における動作を示すフローチャートである。
【図８】同画像形成装置の状態５における動作を示すフローチャートである。
【発明を実施するための形態】
【０００８】
本発明の実施形態に係る電子機器について説明する。実施形態に係る電子機器は、画像形成装置に係り、装置本体と、装置本体から着脱可能、かつ前記装置本体と通信可能な操作部とを備える。また、装置本体は、前記装置本体の全体に電力を供給する第１電源を備える。更に、操作部は、外光を利用して発電する発電手段と、発電手段の発電電圧を検出する電圧検出手段と、発電手段により充電されかつ操作部に電力を供給する第２電源と、操作部の状態を検出する操作部状態検出手段と、電圧検出手段の検出結果に基づいて、第１電源及び前記第２電源の少なくとも一方から前記操作部への電力供給を行うように制御する電力供給制御手段と、を備える。
【０００９】
＜第１実施形態＞
以下、本発明に係る電子機器の第１実施形態である画像形成装置１００の構成について説明する。図１は本発明の第１実施形態に係る電子機器としての画像形成装置の基本構成を示すブロック図である。画像形成装置１００は、装置本体２００と、この装置本体２００から着脱可能、かつ装置本体２００と通信可能な操作部３００とからなる。また、装置本体２００は、電源制御部２１０と、画像形成部２２０とからなる。
電源制御部２１０は、通常動作時に画像形成装置１００の画像形成部２２０の全体にＤＣ電力を供給する第１電源２１１と、電力供給制御手段２１２とを備える。第１電源２１１は、画像形成部２２０の全体に対して、通常動作時に電力供給経路２１４から電力を供給する。電力供給制御手段２１２は、後述する電圧検出手段３０５の検出結果と操作部状態検出手段３０６の検出結果とに基づいて、第１電源２１１及び第２電源３０４のいずれかで操作部３００への電力供給を行うかを制御する。操作部３００を装置本体２００に画像形成部に取り付けたとき、第１電源２１１から操作部３００の第２電源３０４を充電するよう制御する。なお、符号２１３は商用交流電源に接続されるコンセントを示している。また、符号２１４は操作部３００を装置本体２００に取り付けた状態で第１電源２１１から操作部３００に電力を供給する電力供給経路を示している。
【００１０】
画像形成部２２０は、ＣＰＵ（Micro Processing Unit）２２１、メモリ２２２、ハードディスクドライブ（ＨＤＤ）２２３、作像部である画像形成手段２２４を備える。ＣＰＵ２２１は、画像形成部２２０の動作を制御する。メモリ２２２はＲＯＭ（Read Only Memory）、ＲＡＭ（Random Access Memory）から構成され、印刷ジョブの画像イメージデータを形成したり、ＣＰＵ２２１がデータ処理をする際に一時的にデータを格納したりする。ハードディスクドライブ２２３には、メモリ２２２によって形成された印刷ジョブの画像イメージデータを書き込み（蓄積）、蓄積された画像イメージデータを読み出す。
画像形成手段２２４は、メモリ２２２により形成された画像イメージデータもしくは、ハードディスクドライブ２２３に蓄積されている画像イメージデータを読み出して、記録媒体である記録紙に印刷する。画像形成手段２２４は、例えば電子写真式の画像形成部を備える。なお、この画像形成手段２２４は電子写真式に限らず、インクジェットによって画像を形成するもの等を採用できる。
【００１１】
操作部３００は、ＣＰＵ（Micro Processing Unit）３０１、メモリ３０２、太陽電池３０３、第２電源３０４、電圧検出手段３０５、操作部状態検出手段３０６、閾値調整手段３０７、表示手段３０８、無線通信手段３０９、及び充電制御手段３１２を備える。操作部ＣＰＵ３０１は、操作部３００を制御する。また、操作部ＣＰＵ３０１は、操作部３００が装置本体２００に物理的に接続されているか、接続されていないかを検出する接続検知手段として動作する。メモリ３０２は、ＲＯＭ（Read Only Memory）、ＲＡＭ（Random Access Memory）から構成され、表示手段３０８の描画データを格納する他、操作部ＣＰＵ３０１がデータ処理をするとき一時的にデータを格納する。太陽電池３０３は、外光により発電を行い、第２電源３０４を充電する。また、アモルファスシリコン等公知のものを使用することができる。また太陽電池３０３に代わって、ＬＥＤ蛍光管や太陽からの光を複数のＬＥＤ素子で受光して発電するＬＥＤ発電を用いてもよい。
第２電源３０４は、第１電源２１１及び太陽電池３０３によって発電されたＤＣ電力を蓄えると共に、操作部３００に電力を供給する。第２電源３０４は、リチウムイオン二次電池、ニッケル水素二次電池等の公知の二次電池を使用することができる。
【００１２】
電圧検出手段３０５は、太陽電池３０３の発電電圧を検出する。これにより、太陽電池３０３が操作者で光源からの光が遮られたことを検知することができる。操作部状態検出手段３０６は、操作部状態検出手段３０６の操作部３００の状態、即ち操作部３００に近接する人物が存在するかを検出する。詳細については後述する。
閾値調整手段３０７は、操作部３００が配置された場所の照度条件や操作部３００の物理位置条件（位置や向き）から換算される外光の受光レベルに応じた太陽電池３０３の発電電圧の複数の閾値パラメータをメモリ３０２にテーブルとして記憶、管理する。これにより、操作部３００が存在する場所の照度条件や操作部３００の物理条件（位置や向き）に応じて、表示手段３０８から太陽電池３０３の発電電圧の閾値を予め設定したり調整したりする。本実施形態に係る画像形成装置１００では、太陽電池３０３は、発電した電力で第２電源３０４を充電する他、操作部３００が照明の影部に入り、太陽電池３０３に入射する光が遮られているか否かを判断するセンサーとしての役割も果たす。
【００１３】
表示手段３０８は、液晶タッチパネル等で構成され、画像形成装置１００の印刷設定に関する種々の情報を表示する他、印刷する際の種々の設定を行う。無線通信手段３０９は、操作部３００と装置本体２００との間で無線通信を行う。なお、符号３１１は第２電源３０４から操作部３００全体に対して、通常動作時に電力を供給する電力供給経路を示している。
充電制御手段３１２は、操作部ＣＰＵ３０１からの指示に基づき、操作部ＣＰＵ３０１の第２電源３０４からの電力供給を遮断し、電源制御部２１０の第１電源２１１から電力供給を行った場合、第１電源２１１から出力される電力で第２電源３０４を充電する。
画像形成装置１００では、操作部状態検出手段３０６として、人体を検知する手段を備え、装置本体２００からから操作部状態検出手段３０６を取り外して使用する操作者を検知して、人物の有無を判断する。
【００１４】
次に画像形成装置１００の動作について説明する。
図２は同画像形成装置の基本動作を示すフローチャートである。操作部ＣＰＵ３０１は、操作部３００が装置本体２００に物理的に接続されているか、接続されていないかを検知している（ステップＳ１０１）。また、予め閾値調整手段３０７により、太陽電池３０３の発電電圧の閾値を表示手段３０８から予め設定、調整しておく（ステップＳ１０２）。操作部３００が装置本体２００の画像形成部２２０に物理的に接触状態、即ち接続されている状態で、電力供給制御手段２１２は、電源制御部２１０の第１電源２１１から電力供給経路２１４を経由して画像形成部２２０の装置本体全体に電力が供給されている。同時に、電源制御部２１０の第１電源２１１から電力供給経路２１４を経由して操作部３００に電力が供給されている（ステップＳ１０３）。
また、太陽電池３０３は、外光により発電した電力を第２電源３０４に充電している（ステップＳ１０４）。この状態で、電圧検出手段３０５は、常時太陽電池３０３の発電電圧を監視しており（ステップＳ１０５）、電圧検出手段３０５により太陽電池３０３の発電電圧が所定の閾値以上であるか、所定の閾値未満であると判定した場合（ステップＳ１０６のＹｅｓ）、電圧検出手段３０５は検出情報を操作部状態検出手段３０６に通知する（ステップＳ１０７）。次いで、通知情報を取得した操作部状態検出手段３０６は、取得した所定の特定情報を判断し、この判断情報を操作部ＣＰＵ３０１に通知する（ステップＳ１０８）。
【００１５】
電力供給制御手段２１２による操作部３００への電力供給は、操作部３００が画像形成部２２０と物理的な接続状態を操作部ＣＰＵ３０１が検出している場合は、操作部ＣＰＵ３０１は電源制御部２１０の第１電源２１１に電力供給信号を出力し、操作部３００への電力供給を電源制御部２１０の第１電源２１１から電力供給を行う（ステップＳ１０９）。一方、操作部３００が画像形成部２２０と物理的な非接続状態を操作部ＣＰＵ３０１が検出している場合は、操作部ＣＰＵ３０１は操作部３００の二次電池等の第２電源３０４に電力供給信号を出力し操作部３００への電力供給を二次電池等の第２電源３０４から電力供給を行う（ステップＳ１１０）。
第１実施形態によれば、操作部の装置本体への取り付け状態、太陽電池の発電電圧、および操作部状態検出手段の検出結果に基づいて操作部への電力供給元を選択する。このため、操作部の装置本体への配置状態、操作部の使用状態に応じた最適な電源が選択できる。よって、装置本体から操作部を取り外して使用する場合でも、装置本体から操作部に対して電源供給ができないという問題が解消される。更に、画像形成装置本体から取り外した操作部に対して予め外部のＡＣアダプタ電源から操作部内のバッテリに充電して電源供給する手間が不要となる。
【００１６】
＜第２実施形態＞
次に第２実施形態に係る電子機器である画像形成装置について説明する。第２実施形態に係る画像形成装置は、図１に示した画像形成装置と基本的に同じ構成を備える。第２実施形態に係る画像形成装置において、操作部状態検出手段３０６は、操作部３００を使用する人体を検知可能な人体検知手段である。人体検知手段は、赤外線、超音波、可視光等で人体を検知する。これにより、操作部３００を操作する人物を検知する。
まず、実施形態２に係る画像形成装置１００の基本的な動作について説明する。図３は本発明の第２実施形態に係る電子機器としての画像形成装置の動作を示すフローチャートである。本実施形態において、電力供給制御手段２１２は、操作部ＣＰＵ３０１による操作部３００の検出結果（ＳＴ１００）と、電圧検出手段３０５で検出した太陽電池の電圧と予め定めた閾値との比較結果（ＳＴ１１０、ＳＴ１２０）と、操作部状態検出手段３０６による人体の検出結果（ＳＴ１１１、ＳＴ１１２、ＳＴ１２１、ＳＴ１２２）に基づいて、操作部３００への電力の供給元を第１電源２１１、又は第２電源３０４に切り替える。
【００１７】
この状態をまとめると以下のようになる。
状態１（操作部３００が装置本体２００に接続され、太陽電池３０３の電圧が閾値以下であり、かつ人体を検出した場合）：操作部３００は接続状態であり、太陽電池は照明の影部に配置され、操作を行う人物がいる。この場合、操作部３００には、第１電源２１１から電力が供給される。
状態２（操作部３００が装置本体２００に接続され、太陽電池３０３の電圧が閾値以下であり、かつ人体を検出しない場合）：操作部３００は接続状態であり、太陽電池３０３は照明の影部に配置され、操作を行う人物がいない。この場合、操作部３００には、第１電源２１１から電力が供給される。
状態３（操作部３００が装置本体２００に接続され、太陽電池３０３の電圧が閾値を越え、かつ人体を検出した場合）：操作部３００は接続状態であり、操作部３００が照明された状態であり、操作を行う人物がいる。この場合、操作部３００には、第１電源２１１から電力が供給される。
【００１８】
状態４（操作部３００が装置本体２００に接続され、太陽電池３０３の電圧が閾値を越え、かつ人体を検出しない場合）：操作部３００は接続状態であり、操作部３００が照明された状態であり、かつ操作を行う人物がいない。この場合、操作部３００は、装置本体２００に配置され、操作する人物がいない。この場合、第１電源２１１から電力が供給される。
状態５（操作部３００が装置本体２００に接続されておらず、太陽電池３０３の電圧が閾値以下であり、かつ人体を検出した場合）：操作部３００は非接続状態であり、操作部３００が照明の影部にあり、操作を行う人物がいる。この場合、操作部３００には、第２電源３０４から電力が供給される。
状態６（操作部３００が装置本体２００に接続されておらず、太陽電池３０３の電圧が閾値以下であり、かつ人体を検出しない場合）：操作部３００は非接続状態であり、操作部３００が照明の影部にあり、操作を行う人物がいない。この場合、操作部３００には、第２電源３０４から電力が供給される。
【００１９】
状態７（操作部３００が装置本体２００に接続されておらず、太陽電池３０３の電圧が閾値を越え、かつ人体を検出した場合）：操作部３００は非接続状態であり、操作部３００は照明された状態であり、操作を行う人物がいる。この場合、操作部３００には、第２電源３０４から電力が供給される。
状態８（操作部３００が装置本体２００に接続されておらず、太陽電池３０３の電圧が閾値を越え、かつ人体を検出しない場合）：操作部３００は非接続状態であり、操作部３００は照明された状態であり操作を行う人物がいる。この場合、操作部３００には、第２電源３０４から電力が供給される。
【００２０】
以下、この実施形態に係る電子機器の処理を、状態４及び状態５を例にして詳細に説明する。まず、操作部３００が装置本体２００に接続され、太陽電池３０３の電圧が閾値を越え、かつ操作部状態検出手段３０６が人体を検出した状態（状態４）について説明する。図４は第２実施形態に係る画像形成装置の状態４における動作を示すフローチャートである。
予め閾値調整手段３０７により、太陽電池３０３の発電電圧の閾値を表示手段３０８から予め設定、調整しておく。この状態で、操作部ＣＰＵ３０１は、操作部３００が装置本体２００に物理的に接続されているか、接続されていないかを検知する（ステップＳ２０１）。さらに、操作部ＣＰＵ３０１は、電圧検出手段３０５によって太陽電池３０３の発電電圧を検出し（ステップＳ２０３）、操作部状態検出手段３０６の人体検出手段で人体を検出する（ステップＳ２０５）。
【００２１】
この状態で、操作部３００が装置本体２００に接続しているとされ（ステップＳ２０２）、検出された太陽電池３０３の発電電圧が閾値を越え（ステップＳ２０４）、更に人体を検出しない（Ｓ２０６）場合、電力供給制御手段２１２は、操作部３００に第１電源２１１から電力を供給させる（ステップＳ２０７）。ステップＳ２０２、ステップＳ２０４、ステップＳ２０６で上述した場合と異なる判断がされた場合は、各処理に遷移する（ステップＳ２０８）。以上のように、操作部３００が装置本体２００に接続され、太陽電池３０３の電圧が閾値を越え、かつ人体を検出しない場合には、操作部３００への電力供給は第１電源から適正になされる。
【００２２】
次に、操作部３００が装置本体２００に接続されず、太陽電池３０３の電圧が閾値以下であり、かつ操作部状態検出手段３０６が人体を検出した状態（状態５）について説明する。図５は同画像形成装置の状態５における動作を示すフローチャートである。
予め閾値調整手段３０７により、太陽電池３０３の発電電圧の閾値を表示手段３０８から予め設定、調整しておく。この状態で、操作部ＣＰＵ３０１は、操作部３００が装置本体２００に物理的に接続されているか、接続されていないかを検知し（ステップＳ３０１）、電圧検出手段３０５によって太陽電池３０３の発電電圧が検出され（ステップＳ３０３）、操作部状態検出手段３０６の人体検出手段で人体が検出されている（ステップＳ３０５）。
【００２３】
この状態で、操作部３００が装置本体２００に接続されていないとされ（ステップＳ３０２）、検出された太陽電池３０３の発電電圧が閾値以下であり（ステップＳ３０４）、更に人体を検出した場合（ステップＳ３０６）、電力供給制御手段２１２は、操作部３００に第２電源３０４から電力を供給させる（ステップＳ３０７）。
ステップＳ３０２、ステップＳ３０４、ステップＳ３０６で上述した場合と異なる判断がされた場合は、各処理に遷移する（ステップＳ３０８）。以上のように、操作部３００が装置本体２００に接続されておらず、太陽電池３０３の電圧が閾値以下であり、かつ人体を検出した場合には、操作部３００への電力供給は第２電源から適正になされる。
【００２４】
この実施形態において、充電制御手段３１２は、以下のように動作する。図６は充電制御手段の動作を示すフローチャートである。操作部ＣＰＵ２２１で、操作部３００が装置本体２００に接続状態であると検知したとき、電力供給制御手段２１２は、操作部３００への電力供給を第２電源３０４からの遮断する（ステップＳ４０１）。これにより、第１電源２１１から操作部３００への電力供給が行われる。そして、充電制御手段３１２は、電源制御部２１０の第１電源２１１からの電力を操作部３００の第２電源３０４に供給し充電する（ステップＳ４０２）。これにより、装置本体への操作部３００の設置状態に応じて第２電源３０４への充電を適正に行うことができる。
【００２５】
第２実施形態によれば、操作部の装置本体への取り付け状態、太陽電池の発電電圧に基づいて操作部が操作者の影部に配置されているか、および操作部状態検出手段による人体の検出有無に基づいて、操作部への電極供給元が選定される。このため、操作部の装置本体への配置状態、操作部の配置状態、および操作者が操作部に人体が近接しているか否か等の様々な状態に応じて第２電源への最適な充電電源を選択できる。
【００２６】
＜第３実施形態＞
次に第３実施形態について説明する。第３実施形態では、閾値調整手段３０７は、静電容量を検出する静電容量検知手段を備える。静電容量検知手段は、操作部３００の材質、即ち操作部３００の外装カバーや液晶パネル等の静電容量の変化を検知する。これにより、装置本体２００から操作部３００を取り外して使用する人物の有無を判断する。このため、図３に示した判断と同じ判断を行う。
以下、この実施形態に係る電子機器の処理を、状態４及び状態５を例にして詳細に説明する。まず、操作部３００が装置本体２００に接続され、太陽電池３０３の電圧が閾値を越え、かつ操作部状態検出手段３０６が人体を検出した状態（状態３）について説明する。図７は第３実施形態に係る画像形成装置の状態４における動作を示すフローチャートである。
【００２７】
予め閾値調整手段３０７により、太陽電池３０３の発電電圧の閾値を表示手段３０８から予め設定、調整しておく。この状態で、操作部ＣＰＵ３０１は、操作部３００が装置本体２００に物理的に接続されているか、接続されていないかを検知する（ステップＳ５０１）。操作部ＣＰＵ３０１は、電圧検出手段３０５によって太陽電池３０３の発電電圧を検出し（ステップＳ５０３）、操作部状態検出手段３０６の人体検出手段で人体を検出す（ステップＳ５０５）。
この状態で、操作部３００が装置本体２００に接続しているとされ（ステップＳ５０２）、検出された太陽電池３０３の発電電圧が閾値を越え（ステップＳ５０４）、更に人体を検出しない場合（ステップＳ５０６）、電力供給制御手段２１２は、操作部３００に第１電源２１１から電力を供給させる（ステップＳ５０７）。ステップＳ２０２、ステップＳ２０４、ステップＳ２０６で上述した場合と異なる判断がされた場合は、各処理に遷移する（ステップＳ５０８）。以上のように、操作部３００が装置本体２００に接続され、太陽電池３０３の電圧が閾値を越え、かつ人体を検出しない場合には、操作部３００への電力供給は第１電源から適正になされる。
【００２８】
次に、操作部３００が装置本体２００に接続されず、太陽電池３０３の電圧が閾値以下であり、かつ操作部状態検出手段３０６が人体を検出した状態（状態５）について説明する。図７は同画像形成装置の状態５における動作を示すフローチャートである。
予め閾値調整手段３０７により、太陽電池３０３の発電電圧の閾値を表示手段３０８から予め設定、調整しておく。この状態で、操作部ＣＰＵ３０１は、操作部３００が装置本体２００に物理的に接続されているか、接続されていないかを検知する（ステップＳ６０１）。操作部ＣＰＵ３０１は、電圧検出手段３０５によって太陽電池３０３の発電電圧を検出し（ステップＳ６０３）、操作部状態検出手段３０６の人体検出手段で人体を検出する（ステップＳ６０５）。
【００２９】
この状態で、操作部３００が装置本体２００に接続されていないとされ（ステップＳ６０２）、検出された太陽電池３０３の発電電圧が閾値以下であり（ステップＳ６０４）、更に人体を検出した場合（ステップＳ６０６）、電力供給制御手段２１２は、操作部３００に第２電源３０４から電力を供給させる（ステップＳ６０７）。
ステップＳ６０２、ステップＳ６０４、ステップＳ６０６で上述した場合と異なる判断がされた場合は、各処理に遷移する（ステップＳ６０８）。以上のように、操作部３００が装置本体２００に接続されておらず、太陽電池３０３の電圧が閾値以下であり、かつ人体を検出した場合には、操作部３００への電力供給は第２電源から適正になされる。なお、充電制御手段３１２の動作は実施形態２の場合と同じである。
【００３０】
第３実施形態によれば、操作部の装置本体への取り付け状態、太陽電池の発電電圧に基づいて操作部が操作者の影部に配置されているか、および操作部状態検出手段の静電容量検出に基づいての人体の検出有無に基づいて、操作部への電極供給元が選定される。このため、操作部の装置本体への配置状態、操作部の配置状態、および操作者が操作部に人体が近接しているか否か等の様々な状態に応じて第２電源への最適な充電電源を選択できる。
なお、上記各実施形態では、電子機器として画像形成装置を例として説明したが、本発明は、装置本体と、前記装置本体から着脱可能、かつ前記装置本体と通信可能な操作部とを備える電子機器であれば、画像形成装置以外の電子機器に適用できる。即ち、例えばプロジェクタやテレビ会議システムなどの画像処理装置、その他の装置に適用することができる。
【００３１】
＜本発明の実施態様例と効果＞
＜第１態様＞
本態様の電子機器は、装置本体と、装置本体から着脱可能、かつ装置本体と通信可能な操作部と、を備える電子機器であって、装置本体は、装置本体の全体に電力を供給する第１電源を備え、操作部は、外光を利用して発電する発電手段と、発電手段の発電電圧を検出する電圧検出手段と、発電手段により充電されかつ操作部に電力を供給する第２電源と、操作部の状態を検出する操作部状態検出手段と、電圧検出手段の検出結果と操作部状態検出手段の検出結果とに基づいて、第１電源及び第２電源の少なくとも一方から操作部への電力供給を行うように制御する電力供給制御手段と、を備えたことを特徴とする。
本態様によれば、第１電源及び第２電源の少なくとも一方から操作部への電力供給を行うように制御するので、操作部を装置本体に取り付けて使用する場合の他、操作部を装置本体から取り外して使用する場合でも、操作部に対して確実に電力を供給できる。
【００３２】
＜第２態様＞
本態様の電子機器は、操作部が、装置本体と物理的に接続状態であるか非接続状態であるかを検出する接続検知手段を備え、操作部状態検出手段が、人体を検出する人体検知手段を備え、電力供給制御手段が、接続検知手段により操作部と装置本体とが非接続状態であることを検知し、電圧検出手段が検出した発電手段の発電電圧が予め定めた閾値を超えると判定し、かつ、人体検知手段が人体を検出したとき、第２電源から操作部へ電力を供給させることを特徴とする。
本態様によれば、操作部と装置本体とが非接続状態であり、発電手段の発電電圧が予め定めた閾値を超え、かつ、人体を検出したときに、第２電源から操作部へ電力を供給させるので、操作部を装置本体から取り外して使用する場合でも、操作部に対して確実に電力を供給できる。
【００３３】
＜第３態様＞
本態様の電子機器は、操作部が、装置本体と物理的に接続状態であるか非接続状態であるかを検出する接続検知手段を備え、操作部状態検出手段が、人体を検出する人体検知手段を備え、電力供給制御手段が、接続検知手段により操作部と装置本体とが接続状態であることを検知し、電圧検出手段が検出した発電手段の発電電圧が予め定めた閾値以下であるであると判定し、かつ、人体検知手段が人体を検出しないとき、第１電源から操作部へ電力を供給させることを特徴とする。
本態様によれば、操作部と装置本体とが接続状態であり、発電手段の発電電圧が予め定めた閾値以下であり、かつ、人体を検出しないとき、第１電源から操作部へ電力を供給させるので、操作部を装置本体に取り付けて使用する場合、操作部に対して確実に電力を供給できる。
【００３４】
＜第４態様＞
本態様の電子機器は、操作部が、装置本体と物理的に接続状態であるか非接続状態であるかを検出する接続検知手段を備え、操作部状態検出手段が、操作部の静電容量を検出する静電容量検知手段を備え、電力供給制御手段が、接続検知手段により操作部と装置本体とが非接続状態であることを検知し、電圧検出手段が検出した発電手段の発電電圧が予め定めた閾値を超えると判定し、かつ、静電容量検知手段で検出した静電容量の値に基づいて人体を検出したとき、第２電源から操作部へ電力を供給させることを特徴とする。
本態様によれば、操作部と装置本体とが非接続状態であり、発電手段の発電電圧が予め定めた閾値を超え、かつ、静電容量の値に基づいて人体を検出したとき、第２電源から操作部へ電力を供給させるので、操作部を装置本体から取り外して使用する場合でも、操作部に対して確実に電力を供給できる。
【００３５】
＜第５態様＞
本態様の電子機器は、操作部が、装置本体と物理的に接続状態であるか非接続状態であるかを検出する接続検知手段を備え、操作部状態検出手段が、操作部の静電容量を検出する静電容量検知手段を備え、電力供給制御手段が、接続検知手段により操作部と装置本体とが接続状態であることを検知し、電圧検出手段が検出した発電手段の発電電圧が予め定めた閾値以下であると判定し、かつ、静電容量検知手段で検出した静電容量の値に基づいて人体を検出しないとき、第１電源から操作部へ電力を供給させることを特徴とする。
本態様によれば、操作部と装置本体とが接続状態であり、発電手段の発電電圧が予め定めた閾値以下であり、かつ、静電容量の値に基づいて人体を検出しないとき、第１電源から操作部へ電力を供給させるので、操作部を装置本体に取り付けて使用する場合、操作部に対して確実に電力を供給できる。
【００３６】
＜第６態様＞
本態様の電子機器は、第２電源から操作部への電力供給を遮断し、かつ第１電源から操作部への電力供給を行った場合に、第１電源から第２電源への充電を行う充電制御手段を備えることを特徴とする。
本態様によれば、第２電源から操作部への電力供給を遮断し、かつ第１電源から操作部への電力供給を行った場合に、第１電源から第２電源への充電を行うことで、第１電源から第２電源３０４への充電を適正に行うことができる。
【００３７】
＜第７態様＞
本態様の電子機器は、記録媒体に画像を記録する作像部を備えることを特徴とする。
本態様によれば、第１態様から第６態様の何れか１つの電子機器を、作像部を有する画像形成装置に適用することができる。
【符号の説明】
【００３８】
２００…装置本体、２１１…第１電源、２１２…電力供給制御手段、３００…操作部、３０３…太陽電池、３０４…第２電源、３０５…電圧検出手段、３０６…操作部状態検出手段
【先行技術文献】
【特許文献】
【００３９】
【特許文献１】特開２０１０−６６３７２公報
【図１】
2015142393.tif 000003
【図２】
2015142393.tif 000004
【図３】
2015142393.tif 000005
【図４】
2015142393.tif 000006
【図５】
2015142393.tif 000007
【図６】
2015142393.tif 000008
【図７】
2015142393.tif 000009
【図８】
2015142393.tif 000010